(57)【要約】【課題】専用の通信モジュールを使用することなく、新しい楽曲の更新データをダウンロードして電子目次本装置の更新処理を行うこと。【解決手段】新しい楽曲が追加されると、センターサーバ装置において、追加された楽曲の情報およびこれらの楽曲に附随する全ての情報を電子データ化する（Ｓ１１）。電子データ化された追加楽曲データを携帯電話対応の着信メロディーフォーマットに変換し、更新用データを作成する（Ｓ１２）。センターサーバ装置は、作成した更新用データを携帯電話にダウンロードする（Ｓ１３）。次に、ダウンロードした更新用データを、携帯電話から電子目次本装置に転送する（Ｓ１４）。電子目次本装置は、更新用データを読み出し、楽曲ＩＤ、楽曲名などの楽曲データを抽出する（Ｓ１５）。そして、抽出した楽曲データを楽曲データベースに追加登録することにより更新処理が行われる（Ｓ１６）。【選択図】  図５
2004163643.tif 000002
【特許請求の範囲】
【請求項１】
楽曲の目次リストを格納した電子目次本装置と、ネットワーク接続機能を搭載した携帯電話と、前記楽曲の目次リストの提供元である前記ネットワーク上に設けられた電子目次本情報処理装置と、から構成される電子目次本システムにおいて、
前記電子目次本情報処理装置は、
新たに追加された楽曲の目次リストを構成する追加目次データを、前記携帯電話に対応したフォーマットデータに変換して更新データを作成する更新データ作成手段を備え、
前記携帯電話は、
前記更新データ作成手段により作成された前記更新データを、前記ネットワークを介してダウンロードする更新データダウンロード手段と、
前記更新データダウンロード手段によりダウンロードされた前記更新データを、前記電子目次本装置へ直接接続して転送する転送手段と、を備え、
前記電子目次本装置は、
前記転送手段により転送された前記更新データを受信する受信手段と、
前記受信手段により受信された前記更新データから前記追加目次データを抽出する抽出手段と、
前記抽出手段により抽出された前記追加目次データに基づいて、前記楽曲の目次リストを更新する更新手段と、
を備えたことを特徴とする電子目次本システム。
【請求項２】
楽曲の目次リストを格納した電子目次本装置において、
前記楽曲の目次リストの提供元である電子目次本情報処理装置で、携帯電話に対応したフォーマットデータに変換し、新たに追加された楽曲の目次リストを構成する追加目次データを、前記携帯電話を介して取得する取得手段と、
前記取得手段により取得された前記フォーマットデータに変換されたデータから前記追加目次データを抽出する抽出手段と、
前記抽出手段により抽出された前記追加目次データに基づいて、前記楽曲の目次リストを更新する更新手段と、
を備えたことを特徴とする電子目次本装置。
【請求項３】
楽曲の目次リストの提供元であり、かつ、携帯電話とネットワークを介して接続可能である電子目次本情報処理装置において、
新たに追加された楽曲の目次リストを構成する追加目次データを、前記携帯電話に対応したフォーマットデータに変換して更新データを作成する更新データ作成手段と、
前記携帯電話から送信される更新データ取得要求を受信する受信手段と、
前記受信手段により受信された前記更新データ取得要求に基づいて、前記更新データ作成手段により作成された前記更新データを、前記ネットワークを介して前記携帯電話に送信する更新データ送信手段と、
を備えたことを特徴とする電子目次本情報処理装置。
【請求項４】
電子目次本装置に格納されている楽曲の目次リストを更新する電子目次本更新方法において、
前記楽曲の目次リストの提供元である電子目次本情報処理装置で、携帯電話に対応したフォーマットデータに変換し、新たに追加された楽曲の目次リストを構成する追加目次データを、前記携帯電話を介して取得する第１のステップと、
前記第１のステップにより取得された前記フォーマットデータに変換されたデータから前記追加目次データを抽出する第２のステップと、
前記第２のステップにより抽出された前記追加目次データに基づいて、前記楽曲の目次リストを更新する第３のステップと、
を備えたことを特徴とする電子目次本更新方法。
【請求項５】
電子目次本装置に格納されている楽曲の目次リストを更新する電子目次本更新方法において、
新たに追加された楽曲の目次リストを構成する追加目次データを、携帯電話に対応したフォーマットデータに変換して更新データを作成する第４のステップと、
前記携帯電話から送信される更新データ取得要求を受信する第５のステップと、
前記第５のステップにより受信された前記更新データ取得要求に基づいて、前記第４のステップにより作成された前記更新データを、ネットワークを介して前記携帯電話に送信する第６のステップと、
を備えたことを特徴とする電子目次本更新方法。
【請求項６】
電子目次本装置に格納されている楽曲の目次リストを更新する処理を行う電子目次本更新プログラムにおいて、
前記楽曲の目次リストの提供元である電子目次本情報処理装置で、携帯電話に対応したフォーマットデータに変換し、新たに追加された楽曲の目次リストを構成する追加目次データを、前記携帯電話を介して取得する取得機能と、
前記取得機能により取得された前記フォーマットデータに変換されたデータから前記追加目次データを抽出する抽出機能と、
前記抽出機能により抽出された前記追加目次データに基づいて、前記楽曲の目次リストを更新する更新機能と、
をコンピュータに実現させることを特徴とする電子目次本更新プログラム。
【請求項７】
電子目次本装置に格納されている楽曲の目次リストを更新する処理を行う電子目次本更新プログラムにおいて、
新たに追加された楽曲の目次リストを構成する追加目次データを、携帯電話に対応したフォーマットデータに変換して更新データを作成する更新データ作成機能と、
前記携帯電話から送信される更新データ取得要求を受信する受信機能と、
前記受信機能により受信された前記更新データ取得要求に基づいて、前記更新データ作成機能により作成された前記更新データを、ネットワークを介して前記携帯電話に送信する更新データ送信機能と、
をコンピュータに実現させることを特徴とする電子目次本更新プログラム。
【請求項８】
電子目次本装置に格納されている楽曲の目次リストを更新する処理を行う電子目次本更新プログラムを格納した記憶媒体において、
前記楽曲の目次リストの提供元である電子目次本情報処理装置で、携帯電話に対応したフォーマットデータに変換し、新たに追加された楽曲の目次リストを構成する追加目次データを、前記携帯電話を介して取得する取得機能と、
前記取得機能により取得された前記フォーマットデータに変換されたデータから前記追加目次データを抽出する抽出機能と、
前記抽出機能により抽出された前記追加目次データに基づいて、前記楽曲の目次リストを更新する更新機能と、
をコンピュータに実現させることを特徴とする電子目次本更新プログラムを格納した記憶媒体。
【請求項９】
電子目次本装置に格納されている楽曲の目次リストを更新する処理を行う電子目次本更新プログラムを格納した記憶媒体において、
新たに追加された楽曲の目次リストを構成する追加目次データを、携帯電話に対応したフォーマットデータに変換して更新データを作成する更新データ作成機能と、
前記携帯電話から送信される更新データ取得要求を受信する受信機能と、
前記受信機能により受信された前記更新データ取得要求に基づいて、前記更新データ作成機能により作成された前記更新データを、ネットワークを介して前記携帯電話に送信する更新データ送信機能と、
をコンピュータに実現させることを特徴とする電子目次本更新プログラムを格納した記憶媒体。
【発明の詳細な説明】
【０００１】
【発明の属する技術分野】
本発明は、ブック型カラオケ目次本の内容を電子データ化し、これをインストールした電子目次本装置に係り、特に、電子目次本装置のデータを更新するための電子目次本システム、電子目次本装置、電子目次本情報処理装置、電子目次本更新方法、電子目次本更新プログラム、および、電子目次本更新プログラムを格納した記憶媒体に関する。
【０００２】
【従来の技術】
近年、通信技術の発達に伴い、業務用および個人用の通信カラオケシステムが幅広く普及してきている。また、この通信カラオケシステムの普及により、カラオケで歌える楽曲数も数万曲におよび、さらに、毎月数百曲のペースで新しい楽曲が追加配信されるようになってきている。
上述したような通信カラオケシステムを利用して希望の楽曲を歌う場合、利用者は、楽曲リストが記載された目次本を参照し、リモコン装置などを使用して該当する楽曲のＩＤ（識別子）番号を通信カラオケシステムに入力する必要がある。
しかし、数万曲におよぶ楽曲のリストから希望の楽曲を検索する作業は、非常に困難なことであり、利用者の負担も増大してしまう。
従来、このような楽曲を検索する際の利用者の負担を軽減させる技術が、下記の特許文献をはじめ種々開示されている。
【特許文献１】
特開平８−４４３７８号公報
【０００３】
特許文献１には、楽曲を選曲する際にディスプレイ上に曲名選曲用のメニューを表示し、利用者に希望の楽曲のメニューを選択させるようにしたカラオケ用選曲装置が開示されている。さらに、このカラオケ用選曲装置には、選択された楽曲のデータをカラオケシステムに転送する機能を搭載することにより、コード番号の読み違え、誤入力などの不具合を解消することができる。
ところで、上述したような従来のカラオケ用選曲装置（以下、電子目次本装置とする）に登録されている楽曲リストを更新する場合には、専用のサーバ装置に電話回線を介して接続し、そこから必要な新曲の更新データをダウンロードして電子目次本装置に取り込むようにしていた。
【０００４】
【発明が解決しようとする課題】
しかしながら、新曲の更新データをダウンロードして電子目次本装置に取り込むためには、モデムやＩＳＤＮ（総合サービス・デジタル通信網）ボードなどの通信モジュールが必要であった。つまり、電子目次本装置にこのような通信モジュールを搭載しなければならないため、電子目次本装置のダウンサイジング化やコスト縮小化が困難となってしまっていた。
そこで、本発明は、通信モジュールを使用することなく、新曲の更新データをダウンロードして電子目次本装置に取り込むことが可能な電子目次本システム、電子目次本装置、電子目次本情報処理装置、電子目次本更新方法、電子目次本更新プログラム、および、電子目次本更新プログラムを格納した記憶媒体を提供することを目的とする。
【０００５】
【課題を解決するための手段】
請求項１記載の発明では、楽曲の目次リストを格納した電子目次本装置と、ネットワーク接続機能を搭載した携帯電話と、前記楽曲の目次リストの提供元である前記ネットワーク上に設けられた電子目次本情報処理装置と、から構成される電子目次本システムにおいて、前記電子目次本情報処理装置は、新たに追加された楽曲の目次リストを構成する追加目次データを、前記携帯電話に対応したフォーマットデータに変換して更新データを作成する更新データ作成手段を備え、前記携帯電話は、前記更新データ作成手段により作成された前記更新データを、前記ネットワークを介してダウンロードする更新データダウンロード手段と、前記更新データダウンロード手段によりダウンロードされた前記更新データを、前記電子目次本装置へ直接接続して転送する転送手段をと、を備え、前記電子目次本装置は、前記転送手段により転送された前記更新データを受信する受信手段と、前記受信手段により受信された前記更新データから前記追加目次データを抽出する抽出手段と、前記抽出手段により抽出された前記追加目次データに基づいて、前記楽曲の目次リストを更新する更新手段と、を備えることにより前記目的を達成する。
【０００６】
請求項２記載の発明では、楽曲の目次リストを格納した電子目次本装置において、前記楽曲の目次リストの提供元である電子目次本情報処理装置で、携帯電話に対応したフォーマットデータに変換し、新たに追加された楽曲の目次リストを構成する追加目次データを、前記携帯電話を介して取得する取得手段と、前記取得手段により取得された前記フォーマットデータに変換されたデータから前記追加目次データを抽出する抽出手段と、前記抽出手段により抽出された前記追加目次データに基づいて、前記楽曲の目次リストを更新する更新手段と、を備えることにより前記目的を達成する。
請求項３記載の発明では、楽曲の目次リストの提供元であり、かつ、携帯電話とネットワークを介して接続可能である電子目次本情報処理装置において、新たに追加された楽曲の目次リストを構成する追加目次データを、前記携帯電話に対応したフォーマットデータに変換して更新データを作成する更新データ作成手段と、前記携帯電話から送信される更新データ取得要求を受信する受信手段と、前記受信手段により受信された前記更新データ取得要求に基づいて、前記更新データ作成手段により作成された前記更新データを、前記ネットワークを介して前記携帯電話に送信する更新データ送信手段と、を備えることにより前記目的を達成する。
【０００７】
請求項４記載の発明では、電子目次本装置に格納されている楽曲の目次リストを更新する電子目次本更新方法において、前記楽曲の目次リストの提供元である電子目次本情報処理装置で、携帯電話に対応したフォーマットデータに変換し、新たに追加された楽曲の目次リストを構成する追加目次データを、前記携帯電話を介して取得する第１のステップと、前記第１のステップにより取得された前記フォーマットデータに変換されたデータから前記追加目次データを抽出する第２のステップと、前記第２のステップにより抽出された前記追加目次データに基づいて、前記楽曲の目次リストを更新する第３のステップと、を備えることにより前記目的を達成する。
請求項５記載の発明では、電子目次本装置に格納されている楽曲の目次リストを更新する電子目次本更新方法において、新たに追加された楽曲の目次リストを構成する追加目次データを、携帯電話に対応したフォーマットデータに変換して更新データを作成する第４のステップと、前記携帯電話から送信される更新データ取得要求を受信する第５のステップと、前記第５のステップにより受信された前記更新データ取得要求に基づいて、前記第４のステップにより作成された前記更新データを、ネットワークを介して前記携帯電話に送信する第６のステップと、を備えることにより前記目的を達成する。
【０００８】
請求項６記載の発明では、電子目次本装置に格納されている楽曲の目次リストを更新する処理を行う電子目次本更新プログラムにおいて、前記楽曲の目次リストの提供元である電子目次本情報処理装置で、携帯電話に対応したフォーマットデータに変換し、新たに追加された楽曲の目次リストを構成する追加目次データを、前記携帯電話を介して取得する取得機能と、前記取得機能により取得された前記フォーマットデータに変換されたデータから前記追加目次データを抽出する抽出機能と、前記抽出機能により抽出された前記追加目次データに基づいて、前記楽曲の目次リストを更新する更新機能と、をコンピュータに実現させることにより前記目的を達成する。
請求項７記載の発明では、電子目次本装置に格納されている楽曲の目次リストを更新する処理を行う電子目次本更新プログラムにおいて、新たに追加された楽曲の目次リストを構成する追加目次データを、携帯電話に対応したフォーマットデータに変換して更新データを作成する更新データ作成機能と、前記携帯電話から送信される更新データ取得要求を受信する受信機能と、前記受信機能により受信された前記更新データ取得要求に基づいて、前記更新データ作成機能により作成された前記更新データを、ネットワークを介して前記携帯電話に送信する更新データ送信機能と、をコンピュータに実現させることにより前記目的を達成する。
【０００９】
請求項８記載の発明では、電子目次本装置に格納されている楽曲の目次リストを更新する処理を行う電子目次本更新プログラムを格納した記憶媒体において、前記楽曲の目次リストの提供元である電子目次本情報処理装置で、携帯電話に対応したフォーマットデータに変換し、新たに追加された楽曲の目次リストを構成する追加目次データを、前記携帯電話を介して取得する取得機能と、前記取得機能により取得された前記フォーマットデータに変換されたデータから前記追加目次データを抽出する抽出機能と、前記抽出機能により抽出された前記追加目次データに基づいて、前記楽曲の目次リストを更新する更新機能と、をコンピュータに実現させる電子目次本更新プログラムを格納することにより前記目的を達成する。
請求項９記載の発明では、電子目次本装置に格納されている楽曲の目次リストを更新する処理を行う電子目次本更新プログラムを格納した記憶媒体において、新たに追加された楽曲の目次リストを構成する追加目次データを、携帯電話に対応したフォーマットデータに変換して更新データを作成する更新データ作成機能と、前記携帯電話から送信される更新データ取得要求を受信する受信機能と、前記受信機能により受信された前記更新データ取得要求に基づいて、前記更新データ作成機能により作成された前記更新データを、ネットワークを介して前記携帯電話に送信する更新データ送信機能と、をコンピュータに実現させる電子目次本更新プログラムを格納することにより前記目的を達成する。
【００１０】
【発明の実施の形態】
以下、本発明の電子目次本システムにおける好適な実施の形態について、図１から図７を参照して詳細に説明する。
図１は、本実施の形態に係る電子目次本システムの概略構成を示した図である。
図１に示すように、電子目次本システム１は、電子目次本装置１０、携帯電話２０、および、センターサーバ装置５０とから構成され、携帯電話２０とセンターサーバ装置５０とは、接続センター３０、インターネット４０をそれぞれ介して接続され、互いに各種データを送受信するようになっている。
【００１１】
本実施例では、携帯電話２０とセンターサーバ装置５０とを接続するネットワークとしてインターネット４０を使用しているが、このネットワークは、インターネット４０に限られるものではなく、キャプテンシステム、ＬＡＮ（ローカル・エリア・ネットワーク）、ＷＡＮ（ワイド・エリア・ネットワーク）などのデータの送受信が可能なネットワークであればよい。
また、このネットワークは、該ネットワークよりも小さなネットワークやサブネットワークを含んでいても、含んでいなくてもよい。さらに、このネットワークは、センターサーバ装置５０と携帯電話２０との間が、有線、無線（通信衛星による通信を含む）、および両方のいずれにより接続されるネットワークでもよく、専用回線のみによるネットワーク、専用回線を一部に含む交換回線によるネットワーク、専用回線を含まない公衆回線によるネットワークのいずれでもよい。また、データの送受信が可能であれば必ずしもネットワークにより接続されていなくてもよい。
【００１２】
図２は、本発明の実施の形態に係る電子目次本システム１に使用する携帯電話２０の外観を示した正面図である。
図２に示すように携帯電話２０は、本体２１の図示上側に液晶ディスプレイ２２を設け、その下側にダイアルキー２３を設け、その図示右上側にアンテナ２５を設け、本体２１の中心部にマルチファンクションキー２４を設けた構成となっている。また、この携帯電話２０は、インターネット４０への接続機能を備えていて、接続センター３０を経由して、インターネット４０へ接続することができる。また、液晶ディスプレイ２２は、その他各種メニューの表示が可能になっている。
さらに、携帯電話２０は、外部機器とのデータ通信を可能にするための赤外線ポート、または、シリアルポートを備えている。
【００１３】
図３は、本実施の形態に係るセンターサーバ装置５０の概略構成を示した図である。
センターサーバ装置５０は、高速で高度な情報処理機能を備えたコンピュータによって構成される電子目次本情報処理装置である。
ＣＰＵ（中央演算処理装置）５１は、ＲＯＭ（リード・オンリ・メモリ）５２に記憶されているプログラムやＲＡＭ（ランダム・アクセス・メモリ）５３にロードされたプログラムなどにしたがって、各種の処理、計算、条件判断、ディスプレイなどの各種デバイスの制御などを行う。
【００１４】
ＲＯＭ５２は、センターサーバ装置５０を機能させるための基本的なプログラムやパラメータなどが記憶された読み取り専用メモリである。
ＲＡＭ５３は、ＣＰＵ５１が各種の処理を行う上で必要なプログラムやデータを記憶するメモリであり、ＣＰＵ５１によってデータの書込みおよび消去を行うことができる。
インターフェース５４は、記憶装置５５、光磁気ディスク５６、通信部５７、入力部５８、ディスプレイ５９、印刷装置６０などの各種デバイスとＣＰＵ５１とを接続するためのデータ転送速度やタイミング、プロトコルなどの規格情報を提供する。
【００１５】
バスライン６１は、インターフェース５４とＣＰＵ５１、ＲＯＭ５２、ＲＡＭ５３などがデータや制御信号などを送受信する際の伝送媒体である。
記憶装置５５は、例えば大容量のハードディスクなどにより構成されており様々なプログラムやデータが記憶されている。
記憶装置５５には、例えば、データベース５５１、ダウンロードプログラム５５２、回線接続プログラムなどが含まれるその他のプログラムが記憶されている。
データベース５５１には、電子目次本装置１０のデータを更新するための更新用データ、会員の氏名、住所、連絡先、ＩＤ（識別子）、パスワードなどの会員データが格納されている。
【００１６】
また、ダウンロードプログラム５５２には、データ変換プログラム、認証プログラム、会員管理プログラム、Ｗｅｂ管理プログラムなどが格納されている。
光磁気ディスク５６は、一般にハードディスクよりもアクセス速度が遅いが、センターサーバ装置５０に対して着脱自在であるため、プログラムやデータのバックアップなどに使用される。
通信部５７は、センターサーバ装置５０をインターネット４０に接続するためのデバイスである。センターサーバ装置５０を公衆回線に接続する場合はモデムなどで構成する。センターサーバ装置５０は、通信部５７を介してインターネット４０に接続し、これによって携帯電話２０とのデータの送受信が可能になる。
【００１７】
入力部５８は、キーボードやマウスなどにより構成されている。キーボードは、文字情報などを入力する入力手段であり、電子目次本装置で利用される楽曲情報や、この楽曲情報に附随する情報を入力する際に使用する。
マウスは、ポインティングデバイスであり、ディスプレイ５９上に表示されたアイコンやボタンなどをクリックすることにより、データの入力を行うことができる。また、マウスの他にタブレット、タッチパネル、ジョイスティックなどを用いることもできる。
ディスプレイ５９は、例えばＣＲＴ（ブラウン管）、液晶ディスプレイ、プラズマディスプレイなどで構成された表示装置である。
印刷装置６０は、記憶装置５５に格納されたデータなどを紙などに印刷するためのデバイスである。印刷装置６０は、例えば、レーザプリンタ、インクジェットプリンタ、ドットプリンタ、ページプリンタ、感熱式プリンタ、熱転写式プリンタなどの各種プリンタなどによって構成されている。
【００１８】
図４は、本実施の形態に係る電子目次本装置１０の概略構成を示した図である。
電子目次本装置１０は、携帯型のパーソナルコンピュータであり、ボタン操作により、内蔵した楽曲リストから楽曲を検索する電子早見表装置である。
図４に示すように、電子目次本装置１０は、ＣＰＵ１１、ＲＯＭ１２、ＲＡＭ１３、記憶装置１４、入力部１５、ディスプレイ１６、および、通信ポート１７から構成され、各々がバスライン１８を介して接続されている。
ＣＰＵ１１は、ＲＯＭ１２に記憶されているプログラムやＲＡＭ１３にロードされたプログラムなどにしたがって、各種の処理、計算、条件判断や、ディスプレイ１６などの各種デバイスの制御などを行う。
ＲＯＭ１２は、電子目次本装置１０を機能させるための基本的なプログラムやパラメータなどが記憶された読み取り専用メモリである。
ＲＡＭ１３は、ＣＰＵ１１が各種の処理を行う上で必要なプログラムやデータを記憶するメモリであり、ＣＰＵ１１によってデータの書込みおよび消去を行うことができる。
【００１９】
記憶装置１４は、データへのアクセス時間が短い大容量のハードディスクで構成されている。この記憶装置１４には、カラオケの楽曲リスト（目次）、および、これらの楽曲に附随する情報で構成された楽曲データベースが格納されている。詳しくは、楽曲データベースには、楽曲ＩＤ、楽曲名、歌手名、唄い出し、楽曲の属するジャンル、発売年月などのデータが格納されている。
入力部１５は、番号入力キーおよびファンクションキーなどで構成され、利用者がこれらのキーを使ってデータ入力を行うようになっている。
ディスプレイ１６は、ＬＣＤ（液晶ディスプレイ）およびランプなどで構成され、電子目次本装置の状態および警告などの各種情報を表示する。また、このディスプレイ１６に、感圧式または静電式のタッチパネルを搭載することで、直接表示画面上で文字入力やメニュー選択などが可能になる。
通信ポート１７は、単一の信号線を用いて１ビットずつ順次データを送るシリアル伝送で、外部機器と接続するためのインターフェースであり、例えば、ＲＳ−２３２Ｃ（米国電子工業会規格）、ＲＳ−４２２、ＩｒＤＡ（赤外線データ通信協会規格）、ＵＳＢ（ユニバーサル・シリアル・バス）、ＩＥＥＥ１３９４（米国電気電子学会規格）、ファイバ・チャネルなどのインターフェースなどで構成されている。
【００２０】
次に、このように構成された電子目次本システム１における動作について説明する。
図５は、本実施の形態に係る電子目次本システムにおける新曲データの更新方法の手順について示したフローチャートである。
新譜楽曲など楽曲が追加されると、センターサーバ装置５０において、追加された楽曲（以下、追加楽曲とする）の情報およびこれらの楽曲に附随する全ての情報が電子データ化される（ステップ１１）。詳しくは、入力部５８から入力される追加楽曲の楽曲ＩＤ、楽曲名、歌手名、唄い出し、楽曲の属するジャンル、発売年月などの情報を数値化してコンピュータで処理ができる形式に変換する。
【００２１】
次に、ＣＰＵ５１は、電子データ化された追加楽曲データを携帯電話２０対応の着信メロディーフォーマットに変換し、更新用データを作成する（ステップ１２）。
この着信メロディーフォーマットとは、インターネット４０への接続機能を搭載した携帯電話２０の着信音用に使用されている音楽フォーマットのことである。
本実施例では、携帯電話２０に、ｉ−ｍｏｄｅ（アイ・モード：登録商標）端末を利用した場合を例に説明をする。なお、ｉ−ｍｏｄｅ（登録商標）端末の着信音用に使用されている音楽フォーマットには、ＭＦｉ（Ｍｅｌｏｄｙ  Ｆｏｒｍａｔ  ｆｏｒ  ｉ−ｍｏｄｅ）を使用する。
【００２２】
図６は、上述したＭＦｉのデータ構成を示した図である。
図６に示すように、ＭＦｉは、ファイルヘッダ部７１、データインフォメーション部７２、および、トラック部７３の３つの部位から構成されている。
ファイルヘッダ部７１には、ファイルの識別子を格納し、データインフォメーション部７２には、ファイルのデータを格納し、トラック部７３には、音階情報などを格納するようになっている。
さらに、データインフォメーション部７２には、楽曲のタイトル情報を格納するｔｉｔｌ部７２１、データのプロテクト情報を格納するｓｏｒｃ部７２２、当該フォーマットのバージョン情報を格納するｖｅｒｓ部７２３、データの作成日付情報を格納するｄａｔｅ部７２４、著作権情報を格納するｃｏｐｙ部７２５、データ管理文字列の情報を格納するｐｏｒｔ部７２６、ノートメッセージ長の情報を格納するｎｏｔｅ部７２７、拡張ステータス依存データ長情報を格納するｅｘｓｔ部７２８が設けられている。
【００２３】
本実施の形態では、データインフォメーション部７２に設けられたｔｉｔｌ部７２１およびｐｏｒｔ部７２６を、情報を格納するエリアとして実際に使用し、ｄａｔｅ部７２４、ｃｏｐｙ部７２５、ｎｏｔｅ部７２７、および、ｅｘｓｔ部７２８のエリアは使用しない。
なお、ｓｏｒｃ部７２２およびｖｅｒｓ部７２３は、空の状態（何もデータが格納されていない）の場合、エラーを生じる機種が存在するため、予め所定のデータを格納しておくようにする。例えば、ｓｏｒｃ部７２２に「００００００００」を格納し、ｖｅｒｓ部７２３に「０１００」を格納する。
また、トラック部７３も空の状態の場合、エラーを生じるおそれがあるため、必要最小限の音楽情報を入力するようにする。
【００２４】
図６に示すように、実際の追加楽曲の情報（電子データ化された追加楽曲データ）は、ｐｏｒｔ部７２６に格納されるようになっている。
ＣＰＵ５１は、ＲＯＭ５２に格納されている上述した着信メロディーフォーマットを読み出し、この着信メロディーフォーマットの上述した所定の箇所に電子データ化された追加楽曲データを格納する。
このようにして、センターサーバ装置５０において更新用データを作成する。そして、作成された更新用データを記憶装置５５のデータベース５５１に格納する。
【００２５】
次に、携帯電話２０を使用して、センターサーバ装置５０のデータベース５５１に格納されている更新用データをダウンロードする方法について説明する。
本実施例では、センターサーバ装置５０が提供する電子目次本システム専用の早見表サイトから更新用データをダウンロードする場合を例に説明する。
また、図７に更新用データをダウンロードする際の液晶ディスプレイ２２の表示例を示す。
まず、利用者は、ブラウザを使用して携帯電話２０をインターネット４０に接続し、電子目次本システム専用の早見表サイトにアクセスする。
早見表サイトにアクセスすると、携帯電話２０の液晶ディスプレイ２２には、図７（ａ）に示すようなメニュー画面が表示される。
次に、利用者は、表示されたメニューからログインメニューを選択する。ログインメニューを選択すると、携帯電話２０の液晶ディスプレイ２２には、図７（ｂ）に示すようなログインフォーム画面が表示される。
【００２６】
そして、利用者は、ダイアルキー２３やマルチファンクションキー２４を使用して、電話番号、パスワード、カラオケ装置のタイプなどのログインの設定条件を入力する。全ての設定条件を入力後、利用者は、液晶ディスプレイ２２に表示されているログインボタンを押下し、ログイン設定条件をセンターサーバ装置５０に送信する。
利用者からログイン設定条件を受信したセンターサーバ装置５０は、記憶装置５５に格納されているダウンロードプログラム５５２を起動する。
センターサーバ装置５０のＣＰＵ５１は、ログイン設定条件に基づいて当該利用者が当該早見表サイトの会員であるか否かを判断する認証処理を実行する。
【００２７】
認証処理の結果、当該利用者が会員であると認められた場合、センターサーバ装置５０は、データベース５５１を検索し、当該利用者（会員）が未更新のデータを抽出する。この抽出結果は、図７（ｃ）に示すように新着ファイル情報として携帯電話２０に通知され、液晶ディスプレイ２２に表示される。
利用者は、新着ファイル数を確認することにより、未更新データの存在を認識することができる。
未更新データをダウンロードする場合、利用者は、図７（ｃ）に示されている新着ファイルの欄を選択する。新着ファイルの欄を選択することにより、センターサーバ装置５０へ未更新データのダウンロード要求が送信される。
【００２８】
ダウンロード要求を受信したセンターサーバ装置５０は、未更新データのリストを携帯電話２０に通知する。通知された未更新データのリストは、図７（ｄ）に示すように液晶ディスプレイ２２に表示される。
そして、利用者は、通知された未更新データのリストから、ダウンロードを希望するデータを選択する。データを選択することにより、センターサーバ装置５０へ選択されたデータファイルのダウンロード要求が送信される。
データファイルのダウンロード要求を受信したセンターサーバ装置５０は、該当する更新用データをデータベース５５１から検索し、携帯電話２０にダウンロードする（ステップ１３）。
携帯電話２０は、センターサーバ装置５０からダウンロードした更新用データを記憶装置（図示せず）に保存する。
【００２９】
次に、センターサーバ装置５０からダウンロードした更新用データを、携帯電話２０から電子目次本装置１０に転送する（ステップ１４）。
本実施例では、携帯電話２０の記憶装置に保存されているセンターサーバ装置５０からダウンロードした更新用データを読み出し、携帯電話２０に備えられている赤外線ポート、または、シリアルポート、および、電子目次本装置１０の通信ポート１７を介して更新用データの転送を行う。
詳しくは、携帯電話２０に搭載されているメモリダイアル読み出しプロトコルを使用して更新用データを読み出し、この読み出した更新用データを携帯電話２０に備えられている通信ポートから電子目次本装置１０へ転送する。
電子目次本装置１０は、更新用データが転送されると、更新用データを受信し記憶装置１４に保存する。
【００３０】
次に、電子目次本装置１０は、ＲＯＭ１２に格納されているデータ更新プログラムを起動させる。
ＣＰＵ１１は、記憶装置１４に保存されている着信メロディーフォーマットに変換されている更新用データを読み出し、この更新用データから楽曲ＩＤ、楽曲名、歌手名、唄い出し、楽曲の属するジャンル、発売年月などのデータを抽出する（ステップ１５）。
そして、ＣＰＵ１１は、抽出したデータを記憶装置１４に格納されている楽曲データベースに追加登録することにより楽曲データベースのデータ更新を行い（ステップ１６）、処理を終了する。
【００３１】
以上説明したように、本実施形態の電子目次本システムによれば、センターサーバ装置５０において、更新用データを作成するようにしているが、センターサーバ装置５０の外部に設けられたＰＣ（パーソナルコンピュータ）装置において着信メロディーフォーマットに変換した更新用データを作成し、ＦＴＰ（Ｆｉｌｅ  Ｔｒａｎｓｆｅｒ  Ｐｒｏｔｏｃｏｌ）ソフトを使用してセンターサーバ装置５０に接続した後、データベース５５１へアップロードするようにしてもよい。
【００３２】
このように、本実施の形態によれば、電話回線を用いたデータの取り込みに必要とされていたモデムやＩＳＤＮボードなどの通信モジュールを電子目次本装置１０から排除することができるため、電子目次本装置１０のコストダウンを実現させることができる。
また、電話回線の接続や配線処理、さらに、回線切り替え装置の設置などを省略化することができ、利用者の利便性を向上させることができる。
【００３３】
【発明の効果】
本発明によれば、電子目次本装置の更新用データを着信メロディーフォーマットに変換することにより、携帯電話へ更新用データをダウンロードすることができる。そして、携帯電話にダウンロードされた更新用データを電子目次本装置へ転送することにより、通信モジュールを使用することなく更新用データを電子目次本装置に取り込むことができる。
【図面の簡単な説明】
【図１】本実施の形態に係る電子目次本システムの概略構成を示した図である。
【図２】本発明の実施の形態に係る電子目次本システムに使用する携帯電話の外観を示した正面図である。
【図３】本実施の形態に係るセンターサーバ装置の概略構成を示した図である。
【図４】本実施の形態に係る電子目次本装置の概略構成を示した図である。
【図５】本実施の形態に係る電子目次本システムにおける新曲データの更新方法の手順について示したフローチャートである。
【図６】ＭＦｉ（Ｍｅｌｏｄｙ  Ｆｏｒｍａｔ  ｆｏｒ  ｉ−ｍｏｄｅ）のデータ構成を示した図である。
【図７】携帯電話の液晶ディスプレイの表示例を示した図である。
【符号の説明】
１  電子目次本システム
１０  電子目次本装置
１１  ＣＰＵ
１２  ＲＯＭ
１３  ＲＡＭ
１４  記憶装置
１５  入力部
１６  ディスプレイ
１７  通信ポート
１８  バスライン
２０  携帯電話
２１  本体
２２  液晶ディスプレイ
２３  ダイアルキー
２４  マルチファンクションキー
３０  接続センター
４０  インターネット
５０  センターサーバ装置
５１  ＣＰＵ
５２  ＲＯＭ
５３  ＲＡＭ
５４  インターフェース
５５  記憶装置
５６  光磁気ディスク
５７  通信部
５８  入力部
５９  ディスプレイ
６０  印刷装置
６１  バスライン
【図１】
2004163643.tif 000003
【図２】
2004163643.tif 000004
【図３】
2004163643.tif 000005
【図４】
2004163643.tif 000006
【図５】
2004163643.tif 000007
【図６】
2004163643.tif 000008
【図７】
2004163643.tif 000009